(57)【要約】【課題】輝尽性蛍光体シートを２枚の封止フィルムで挟み、減圧条件下で２枚の封止フィルムを封止する時、輝尽性蛍光体層にキズを付けることなく、又、封止フィルムにシワを発生させることなく、作業性が良い輝尽性蛍光体シートの封止装置及びこの装置を使用した輝尽性蛍光体シートの封止方法の提供。【解決手段】輝尽性蛍光体シートを２枚の封止フィルムで挟み、減圧条件下で封止フィルムを熱溶着する熱溶着手段を少なくとも一対有する該輝尽性蛍光体シートの封止装置において、載置台を配設した開口部を有する本体と、該本体に開閉自在に取り付けられた蓋体とを有し、該蓋体を閉じた時、該載置台に載置された前記輝尽性蛍光体シートの全面を押圧し、蓋体を開けた時、該押圧を解除する押圧手段を配設してあることを特徴とする輝尽性蛍光体シートの封止装置。【選択図】　　　　図１
2004077370.tif 000002
【特許請求の範囲】
【請求項１】
可撓性支持体上に輝尽性蛍光体層が形成された輝尽性蛍光体シートを２枚の封止フィルムで挟み、減圧条件下で該封止フィルムを熱溶着する熱溶着手段を少なくとも一対有する輝尽性蛍光体シートの封止装置において、該輝尽性蛍光体シート用の載置台を配設した開口部を有する本体と、該本体に開閉自在に取り付けられた開口部を密閉する蓋体とを有し、該蓋体を閉じた時、該載置台に載置された前記輝尽性蛍光体シートの該輝尽性蛍光体層の全面を押圧し、前記蓋体を開けた時、該押圧を解除する押圧手段を配設してあることを特徴とする輝尽性蛍光体シートの封止装置。
【請求項２】
前記熱溶着手段が、本体に設けられた輝尽性蛍光体シートの可撓性支持体側の封止フィルムを押接する加熱部材と、蓋体に設けられた輝尽性蛍光体シートの輝尽性蛍光体層側の封止フィルムを押接する加熱部材とを有する一対の加熱部材であることを特徴とする請求項１に記載の輝尽性蛍光体シートの封止装置。
【請求項３】
前記押圧手段が、質量９．８〜５×９．８Ｎの押圧板であることを特徴とする請求項１に記載の輝尽性蛍光体シートの封止装置。
【請求項４】
請求項１〜３のいずれか１項の輝尽性蛍光体シートの封止装置を用いて可撓性支持体上に輝尽性蛍光体層が形成された輝尽性蛍光体シートを２枚の封止フィルムで挟み、輝尽性蛍光体シートを封止することを特徴とする輝尽性蛍光体シートの封止方法。
【請求項５】
可撓性支持体上に輝尽性蛍光体層が形成された輝尽性蛍光体シートを２枚の封止フィルムで挟み、減圧条件下で２枚の封止フィルムを熱溶着する少なくとも一対の熱溶着手段を有する封止装置を用いて輝尽性蛍光体シートを封止する封止方法において、該封止装置は輝尽性蛍光体シートの載置台を配設した開口部を有する本体と、該本体に開閉自在に取り付けられた開口部を密閉する蓋体とを有し、該蓋体を閉じた時、該載置台に載置された輝尽性蛍光体シートの輝尽性蛍光体層の全面を押圧し、前記蓋体を開けた時、前記載置台に載置された輝尽性蛍光体シートの輝尽性蛍光体層の全面の押圧を解除する押圧手段が設けられ、押圧するときに押圧手段と輝尽性蛍光体層側の封止フィルムの間に緩衝部材を配設し封止フィルムを熱溶着することを特徴とする輝尽性蛍光体シートの封止方法。
【請求項６】
前記緩衝部材は、嵩密度が２０〜５０ｋｇ／ｍ３、圧縮硬さが９８０〜４９００Ｐａであることを特徴とする請求項５に記載の輝尽性蛍光体シートの封止方法。
【請求項７】
前記熱溶着手段が、本体に設けられた輝尽性蛍光体シートの可撓性支持体側の封止フィルムを押接する加熱部材と、蓋体に設けられた輝尽性蛍光体シートの輝尽性蛍光体層側の封止フィルムを押接する加熱部材とを有する一対の加熱部材であることを特徴とする請求項５に記載の輝尽性蛍光体シートの封止方法。
【請求項８】
前記押圧手段が質量９．８〜５×９．８Ｎの押圧板であることを特徴とする請求項５に記載の輝尽性蛍光体シートの封止方法。
【発明の詳細な説明】
【０００１】
【発明の属する技術分野】
本発明は、可撓性支持体上に輝尽性蛍光体層が形成された輝尽性蛍光体シートの封止装置、及びこの装置を使用した輝尽性蛍光体シートの封止方法に関する。
【０００２】
【従来の技術】
Ｘ線画像のような放射線画像は病気診断用などに多く用いられている。このＸ線画像を得るために被写体を通過したＸ線を輝尽性蛍光体（蛍光スクリーン）に照射し、これにより生じた可視光を通常の写真をとるときと同じように銀塩を使用したフィルムに照射して現像した、いわゆる放射線写真が利用されている。しかし、近年、銀塩を塗布したフィルムを使用しないで輝尽性蛍光体から直接画像を取り出す方法が工夫されるようになった。
【０００３】
画像を取り出す方法としては、被写体を透過した放射線を輝尽性蛍光体に吸収させた後、光又は熱エネルギー等で輝尽性蛍光体を励起することにより、輝尽性蛍光体が蓄積している放射線エネルギーを蛍光として放射し、この蛍光を検出し画像化する方法が挙げられる。具体的には、例えば米国特許３，８５９，５２７号及び特開昭５５−１２１４４号等などに可撓性支持体上に輝尽性蛍光体層を形成した輝尽性蛍光体シートを使用した放射線画像変換方法が記載されている。
【０００４】
これらの方法は、輝尽性蛍光体シートの輝尽性蛍光体層に被写体を透過した放射線を当てて被写体各部の放射線透過密度に対応する放射線エネルギーを蓄積させて、その後に輝尽性蛍光体層を可視光線、赤外線などの電磁波（励起光）で時系列的に励起することにより、該輝尽性蛍光体層中に蓄積されている放射線エネルギーを輝尽発光として放出させ、この光の強弱による信号をたとえば光電変換し、電気信号を得て、この信号を感光フィルムなどの記録材料、ＣＲＴなどの表示装置上に可視像として再生するものである。
【０００５】
この放射線像記録再生方法によれば、従来の放射線写真フィルムと増感紙との組合せを用いる放射線写真法による場合に比較して、はるかに少ない被曝線量で情報量の豊富な放射線画像を得ることができるという利点がある。
【０００６】
このような輝尽性蛍光体は、放射線を照射した後、励起光を照射すると輝尽発光を示す輝尽性蛍光体であるが、実用上では、波長が４００〜９００ｎｍの範囲にある励起光によって３００〜５００ｎｍの波長範囲の輝尽発光を示す輝尽性蛍光体が一般的に利用される。
【０００７】
輝尽性蛍光体シートとしては、可撓性支持体上に輝尽性蛍光体層を塗設した塗設タイプが、取り扱い易く、又作り易く、性能が安定していることから多く使用されている。輝尽性蛍光体は湿度により分解しやすく、画像の劣化が起こりやすい欠点を有しているため、使用に際しては輝尽性蛍光体シートを防湿性のフィルムで封止し、湿度による画像劣化を防止することが一般的に採られている。本発明では輝尽性蛍光体シートを封止するのに使用する防湿性の高いフィルムを封止フィルムといい、封止フィルムで封止された輝尽性蛍光体シートを封止体と言う。実際の使用に際しては、この封止体を平板状のトレーに接着部材により固定した状態（一般的に、輝尽性蛍光体パネルと言われている）で、撮影装置に装填されている。
【０００８】
封止フィルム封止方法としては、例えば特開平１１−２２３８９０号に、開口部を有する袋状とした封止フィルム内に輝尽性蛍光体シートを入れ、輝尽性蛍光体層側の封止フィルムを封止するときにシワにならないように封止装置内を脱気し、輝尽性蛍光体層と封止フィルムの間に空気が部分的に残らない様に押圧板で押しながら開口部をシールする方法が開示されている。しかしながらこの方法の欠点としては、輝尽性蛍光体層と封止フィルムの間に空気が部分的に残らない様にするために、封止をするたび毎に押圧板を輝尽性蛍光体層の上に載せ、シールが終わった時点で押圧板を持ち上げて取り除く必要がある。これら押圧板を輝尽性蛍光体層の上に載せたり、取り外したりするとき、輝尽性蛍光体層の上に落としたりすれば当然、輝尽性蛍光体層にキズが付き製品にならなくなる。又、引きずったりしても輝尽性蛍光体層にキズが付き製品にならなくなるため、作業は慎重に時間を掛けて行う必要があり作業効率を低下させる原因の一つにもなっている。又、シールするたび毎に押圧板を輝尽性蛍光体層の上に載せたり、外したりする作業を行わなければならないため作業員に負担が掛かるため改良が望まれている。
【０００９】
【発明が解決しようとする課題】
本発明は、上記の如き状況に鑑みなされたものであり、その目的は、輝尽性蛍光体シートを２枚の封止フィルムで挟み、減圧条件下で２枚の封止フィルムを熱溶着し封止する時、輝尽性蛍光体層にキズを付けることなく、又、輝尽性蛍光体層側の封止フィルムにシワを発生させることなく、作業性が良い輝尽性蛍光体シートの封止装置及びこの装置を使用した輝尽性蛍光体シートの封止方法を提供することである。
【００１０】
【課題を解決するための手段】
本発明の上記目的は、下記の構成により達成された。
【００１１】
１）可撓性支持体上に輝尽性蛍光体層が形成された輝尽性蛍光体シートを２枚の封止フィルムで挟み、減圧条件下で該封止フィルムを熱溶着する熱溶着手段を少なくとも一対有する輝尽性蛍光体シートの封止装置において、該輝尽性蛍光体シート用の載置台を配設した開口部を有する本体と、該本体に開閉自在に取り付けられた開口部を密閉する蓋体とを有し、該蓋体を閉じた時、該載置台に載置された前記輝尽性蛍光体シートの該輝尽性蛍光体層の全面を押圧し、前記蓋体を開けた時、該押圧を解除する押圧手段を配設してあることを特徴とする輝尽性蛍光体シートの封止装置。
【００１２】
２）前記熱溶着手段が、本体に設けられた輝尽性蛍光体シートの可撓性支持体側の封止フィルムを押接する加熱部材と、蓋体に設けられた輝尽性蛍光体シートの輝尽性蛍光体層側の封止フィルムを押接する加熱部材とを有する一対の加熱部材であることを特徴とする１）に記載の輝尽性蛍光体シートの封止装置。
【００１３】
３）前記押圧手段が、質量９．８〜５×９．８Ｎの押圧板であることを特徴とする１）に記載の輝尽性蛍光体シートの封止装置。
【００１４】
４）１）〜３）のいずれか１項の輝尽性蛍光体シートの封止装置を用いて可撓性支持体上に輝尽性蛍光体層が形成された輝尽性蛍光体シートを２枚の封止フィルムで挟み、輝尽性蛍光体シートを封止することを特徴とする輝尽性蛍光体シートの封止方法。
【００１５】
５）可撓性支持体上に輝尽性蛍光体層が形成された輝尽性蛍光体シートを２枚の封止フィルムで挟み、減圧条件下で２枚の封止フィルムを熱溶着する少なくとも一対の熱溶着手段を有する封止装置を用いて輝尽性蛍光体シートを封止する封止方法において、該封止装置は輝尽性蛍光体シートの載置台を配設した開口部を有する本体と、該本体に開閉自在に取り付けられた開口部を密閉する蓋体とを有し、該蓋体を閉じた時、該載置台に載置された輝尽性蛍光体シートの輝尽性蛍光体層の全面を押圧し、前記蓋体を開けた時、前記載置台に載置された輝尽性蛍光体シートの輝尽性蛍光体層の全面の押圧を解除する押圧手段が設けられ、押圧するときに押圧手段と輝尽性蛍光体層側の封止フィルムの間に緩衝部材を配設し封止フィルムを熱溶着することを特徴とする輝尽性蛍光体シートの封止方法。
【００１６】
６）前記緩衝部材は、嵩密度が２０〜５０ｋｇ／ｍ３、圧縮硬さが９８０〜４９００Ｐａであることを特徴とする５）に記載の輝尽性蛍光体シートの封止方法。
【００１７】
７）前記熱溶着手段が、本体に設けられた輝尽性蛍光体シートの可撓性支持体側の封止フィルムを押接する加熱部材と、蓋体に設けられた輝尽性蛍光体シートの輝尽性蛍光体層側の封止フィルムを押接する加熱部材とを有する一対の加熱部材であることを特徴とする５）に記載の輝尽性蛍光体シートの封止方法。
【００１８】
８）前記押圧手段が質量９．８〜５×９．８Ｎの押圧板であることを特徴とする５）に記載の輝尽性蛍光体シートの封止方法。
【００１９】
【発明の実施の形態】
次に本発明の実施の形態を図１〜図３を用いて説明する。
【００２０】
図１は本発明の封止装置の一例を示す概略図である。図１の（ａ）は封止装置の概略斜視図である。図１の（ｂ）は図１の（ａ）のＡ−Ａ′に沿った概略断面図である。
【００２１】
図中、１は封止装置を示す。２は２枚の封止フィルム５ａ、５ｂで挟んだ可撓性支持体上に輝尽性蛍光体層が形成された輝尽性蛍光体シート４を載せる載置台２０１を配設し、開口部２０２を有する本体を示す。２０１ａは載置台２０１に２枚の封止フィルム５ａ、５ｂに挟持された輝尽性蛍光体シート４を載せる時、位置を規制するため載置台２０１の端部に配設された突き当て部を示す。尚、突き当て部２０１ａは載置台２０１の幅方向に配設されている。２０３は輝尽性蛍光体シート４を２枚の封止フィルム５ａ、５ｂを熱溶着で密封するとき、輝尽性蛍光体シート４と２枚の封止フィルム５ａ、５ｂの間に空気が残らない様にするために、封止装置１内を減圧にする、脱気用の管を示し、真空ポンプ（不図示）に繋がっている。封止するときの減圧度としては１００〜１０，０００Ｐａが好ましい。１００Ｐａ未満の場合は、使用する封止フィルムの種類によっては、輝尽性蛍光体シートの平面性が保たれなくなる場合がある。１０，０００Ｐａを越えた場合は、使用する封止フィルムの種類によっては、輝尽性蛍光体シートと封止フィルムとの間に空気が残り、シワが発生する場合がある。
【００２２】
３は本体２の開口部２０２を覆う蓋体を示し、本体２に開閉自在に取り付けられている。本図は、蝶番３０１により取り付けた場合を示している。
【００２３】
６ａは本体２に設けられた熱溶着手段の加熱部材を示し、載置台２０１の幅方向に沿って端部に配設されている。
【００２４】
６ｂは蓋体３に設けられた熱溶着手段の加熱部材を示し、本体２に設けられた加熱部材６ａと対向する位置に蓋体３の幅方向に沿って端部に固定されている。加熱部材６ｂは軸６ｄを介してシリンダ６ｃに繋げられ、図中の矢印方向に可動可能となっている。加熱部材６ａ、６ｂの温度及び加熱時間は使用する封止フィルムに合わせその都度設定しても良いし、予め使用する封止フィルムの溶着温度、時間を入力した制御手段（不図示）により制御できるようにしてもかまわない。加熱部材としては特に限定はなく、例えばインパルスヒータ、カートリッジヒータ等が挙げられる。
【００２５】
尚、本図は、使用する封止フィルムが袋状の場合の封止装置を示しており、袋状の封止フィルムの開放口の一箇所を封止するために、加熱部材が一箇所に配設された場合を示している。加熱部材の配設する箇所は、使用する封止フィルムの形状によって増設することが可能である。例えば、一枚の封止フィルムを中心から折り重ね合わせて使用する場合は、三箇所を封止するために加熱部材を三箇所に配設することが可能である。
【００２６】
７は押圧手段の押圧板を示す。押圧板７の形状は、輝尽性蛍光体シートの全面を均一に押圧できるような平板が好ましい。押圧板７は、端部の一方を支点として載置台２０１の両側に取り付けられたガイド板７ｂに設けられた長穴７ｃに、押圧板７の両側の端部に設けたピン７ａを介して可動式に取り付けられており、他の一端は蓋体３の内側の両側に設けた吊り下げ部材８により懸架状態に支持されている。
【００２７】
本図は、押圧板７により輝尽性蛍光体層側が押圧されている状態を示す。押圧板７の質量は、９．８〜５×９．８Ｎが好ましく、９．８Ｎ未満の場合は、押圧力が不足するため、使用する封止フィルムの種類によっては、シワが発生する場合がある。５×９．８Ｎを越した場合は押圧力が過多になり、使用する封止フィルムの種類によっては、輝尽性蛍光体層が変形する場合がある。
【００２８】
９は押圧板７による輝尽性蛍光体層の押圧を一定にするために、輝尽性蛍光体シートの輝尽性蛍光体層側の封止フィルム５ａと押圧板７の間に設けられる緩衝部材を示す。緩衝部材９は嵩密度が２０〜５０ｋｇ／ｍ３、圧縮硬さが９８０〜４９００Ｐａであることが好ましい。嵩密度が２０ｋｇ／ｍ３未満の場合は、緩衝部材の材質によっては、押圧板により潰されて緩衝機能が無くなりシワが発生する場合がある。５０ｋｇ／ｍ３倍を越えた場合は、封止時の減圧度によっては輝尽性蛍光体層と封止フィルムの間に部分的に残存する空気が脱気され難くなりシワになる場合がある。
【００２９】
圧縮硬さが９８０Ｐａ未満の場合は押圧板により潰されて緩衝機能が無くなりシワが発生する場合がある。４９００Ｐａを越えた場合は、封止時の減圧度によっては輝尽性蛍光体層と封止フィルムの間に部分的に残存する空気が脱気され難くなりシワになる場合がある。嵩密度及び圧縮硬さはＪＩＳ　Ｋ　６７６７に準じて測定した値である。
【００３０】
図２は、図１に示す封止装置の蓋体が開いている状態の概略断面図である。図中の符号は図１と同義である。
【００３１】
蓋体３が開けられた時、蓋体３の内側に、配設されている押圧板７は、蓋体３が開くのに合わせ、押圧板７は端部の一方を支点として載置台２０１の両側に取り付けられたガイド板７ｂに設けられた長穴７ｃに沿って移動し、吊り下げ部材８により、蓋体３の内側に懸架された状態となり、輝尽性蛍光体層の押圧を解除する状態となる。
【００３２】
図３は図２のＸで示される部分の拡大概略断面図である。尚、本図では封止フィルム、輝尽性蛍光体シートの構成を説明するために、加熱部材と載置台は省略してある。
【００３３】
可撓性支持体４ｂの上に設けられた輝尽性蛍光体層４ａ側を封止する封止フィルム５ａは、外層５ａ２と溶着層５ａ１とを有する積層材料を使用することが好ましい。封止フィルム５ａは、撮影装置で被写体に放射線を照射し、被写体を透過した被写体各部の放射線透過密度に対応する放射線エネルギーを輝尽性蛍光体シートの輝尽性蛍光体層に蓄積させて、その後、可視光線、赤外線等の電磁波（励起光）で時系列的に励起することにより、輝尽性蛍光体層中に蓄積されている放射線エネルギーを輝尽発光として放出させ、光電変換することで可視画像として取り出すために透明であることが必要である。又、可撓性支持体４ｂ側を封止する封止フィルム５ｂは、外層５ｂ２と溶着層５ｂ１とを有する積層材料を使用することが好ましい。封止フィルム５ｂは、封止フィルム５ａと同じであっても、異なっていてもかまわない。
【００３４】
溶着層５ａ１、５ｂ１は、本体に設けられた加熱部材６ａと蓋体に設けられた加熱部材６ｂで挟み、押圧しながら加熱をすることで溶融接着する、シーラント層となっている。溶融接着することで輝尽性蛍光体シート４は封止フィルム５ａ、５ｂにより封止された状態となる。外層５ａ２、５ｂ２は輝尽性蛍光体シートを湿度から保護するために防湿層を有している。
【００３５】
次に、図１、図２に示す本発明の封止装置を使用し、図１に示す状態で載置台に載置した袋状とした封止フィルムに挟持された輝尽性蛍光体シートの封止方法を段階的に説明する。
１）使用する封止フィルムのシーラント層の特性に合わせ、封止装置の加熱部材の温度、加熱時間及び減圧度を設定する。
２）封止装置の蓋体を開ける。
３）設けられた載置台に、２枚の封止フィルムの３方を熱溶着した袋を使用し、透明な封止フィルムが輝尽性蛍光体層側になるようにして袋状とした封止フィルムで挟持された輝尽性蛍光体シートを輝尽性蛍光体層側が上になるようにして載置台に載置する。この時、袋状とした封止フィルムの開放口が加熱部材の上になるように載置する。
４）袋状とした封止フィルムで挟持された輝尽性蛍光体シートの上に緩衝部材を載せる。
５）封止装置の蓋体を閉じる。蓋体を閉じることで、輝尽性蛍光体層側は緩衝部材を介して、蓋体に取り付けられている押圧手段の押圧板により押圧された状態となる。この状態では、蓋体に設けられている加熱部材はシリンダにより上方向に上げられた状態になっている。
６）真空ポンプにより排気口を介して、封止装置１の内部を減圧状態にする。
７）設定した減圧度にした後、所定の時間脱気を行う。脱気が終了した後、シリンダ６ｃを稼働させ蓋体３に設けられている加熱部材６ｂを下げ、加熱部材６ａの上にある封止フィルム５ａ、５ｂを押圧する。所定の温度、時間で押圧した後、シリンダ６ｃを稼働させ加熱部材６ｂを上げ、蓋体３を開けて押圧板７による押圧を解除し、封止された輝尽性蛍光体シート４を本体から取り出す。
【００３６】
１）〜７）に示す段階を経ることで、従来おこなっていた押圧板の載置、取り外しの作業がなくなり、輝尽性蛍光体シートを封止フィルムで容易に封止することが可能となり、押圧板の設置作業による輝尽性蛍光体層にキズが付く危険が無くなり、作業効率が向上し、工程の稼働率が上がった。
【００３７】
輝尽性蛍光体シートを封止するために輝尽性蛍光体層側に使用する封止フィルムとしては、輝尽性蛍光体シートの輝尽性蛍光体層を湿度から保護するため、及び輝尽性蛍光体層から被写体の画像を取り出すために、特開平６−９５３０２号に記載されている如き、無機物蒸着層を少なくとも一層含んだ透明な積層材料が防湿性の面からより好ましく用いられる。又支持体側に使用する封止フィルムと接触するシーラント層は熱溶融性の樹脂フィルムを積層する必要がある。
【００３８】
これら無機物蒸着膜としては薄膜ハンドブックｐ８７９〜ｐ９０１（日本学術振興会）、真空技術ハンドブックｐ５０２〜ｐ５０９、ｐ６１２、ｐ８１０（日刊工業新聞社）、真空ハンドブック増訂版ｐ１３２〜ｐ１３４（ＵＬＶＡＣ　日本真空技術Ｋ．Ｋ）に記載されている如き無機膜があげられる。例えば、Ｃｒ２Ｏ３、ＳｉｘＯｙ（ｘ＝１、ｙ＝１．５〜２．０）、Ｔａ２Ｏ３、ＺｒＮ、ＳｉＣ、ＴｉＣ、ＰＳＧ、Ｓｉ３Ｎ４、単結晶Ｓｉ、アモルファスＳｉ、Ｗ、ＡＩ２Ｏ３等が用いられる。
【００３９】
無機物蒸着層を設ける基材として使用する熱可塑性樹脂フィルムとしてはエチレンテトラフルオロエチル共重合体（ＥＴＦＥ）、高密度ポリエチレン（ＨＤＰＥ）、延伸ポリプロピレン（０ＰＰ）、ポリスチレン（ＰＳ）、ポリメチルメタクリレート（ＰＭＭＡ）、延伸ナイロン（ＯＮｙ）、ポリエチレンテレフタレート（ＰＥＴ）、ポリカーボネート（ＰＣ）、ポリイミド、ポリエーテルスチレン（ＰＥＳ）など一般の包装用フィルムに使用されているフィルム材料を使用する事が出来る。
【００４０】
無機物蒸着フィルムシートを介して積層する熱可塑性樹脂フィルムとしては一般の包装材料として使用されている高分子フィルム（例えば機能性包装材料の新展開株式会社東レリサーチセンター記載の高分子フィルム）である低密度ポリエチレン（ＬＤＰＥ）、ＨＤＰＥ、線状低密度ポリエチレン（ＬＬＤＰＥ）、中密度ポリエチレン、未延伸ポリプロピレン（ＣＰＰ）、ＯＰＰ、ＯＮｙ、ＰＥＴ、セロハン、ポリビニルアルコール（ＰＶＡ）、延伸ビニロン（ＯＶ）、エチレン−酢酸ビニル共重合体（ＥＶＯＨ）、塩化ビニリデン（ＰＶＤＣ）等が使用できる。
【００４１】
又、これら熱可塑性樹脂フィルムは、必要に応じて異種フィルムと共押し出しで作った多層フィルム、延伸角度を変えて張り合わせて作った多層フィルム等も当然使用出来る。更に必要とする物性を得るために使用するフィルムの密度、分子量分布を組み合わせて作る事も当然可能である。
【００４２】
最内層の熱可塑性樹脂フィルムとしては、ＬＤＰＥ、ＬＬＤＰＥ及びメタロセン触媒を使用して製造したＬＤＰＥ、ＬＬＤＰＥ、また、これらフィルムとＨＤＰＥフィルムの混合使用したフィルムを使用することが好ましい。
【００４３】
支持体面側に使用するの封止フィルムは防湿性を高めることから、上述の無機物蒸層に代えてアルミニウム箔を使用した他は同じである不透明な積層フィルムを用いることが好ましい。
【００４４】
上記積層フィルムの製造方法としては、無機物を蒸着したフィルム及びアルミニウム箔をラミネートしたフィルムを介して他のフィルムを積層させる方法としては一般的に知られている各種の方法が用いられ、例えばウェットラミネート法、ドライラミネート法、ホットメルトラミネート法、押出しラミネート法、熱ラミネート法を利用して作る事が可能である。
【００４５】
トレーに使用する材質としては例えばアルミニウム（Ａｌ）、アルミニウム合金が挙げられる。アルミニウム合金としては、例えばＡｌ−Ｍｇ系合金、Ａｌ−マグネシウム（Ｍｇ）−ケイ素（Ｓｉ）系合金、Ａｌ−銅（Ｃｕ）系合金、Ａｌ−Ｓｉ系合金及びＡｌ−亜鉛（Ｚｎ）−Ｍｇ系合金等が挙げられる。
【００４６】
本発明に係わる輝尽性蛍光体シートに使用する可撓性支持体としては、セルロースアセテートフィルム、ポリエステルフィルム、ポリエチレンテレフタレートフィルム、ポリアミドフィルム、ポリイミドフィルム、トリアセテートフィルム、ポリカーボネートフィルム等のプラスティックフィルム、アルミニウム箔、アルミニウム合金箔などの金属シート、一般紙及び例えば写真用原紙、コート紙、若しくはアート紙のような印刷用原紙、バライタ紙、レジンコート紙、ベルギー特許第７８４，６１５号明細書に記載されているようなポリサッカライド等でサイジングされた紙、二酸化チタンなどの顔料を含むピグメント紙、ポリビニールアルコールでサイジングした紙等の加工紙等が挙げられる。これらの中でも、加工し易さ、取り扱い性からラスティックフィルムが好ましい可撓性支持体として挙げられる。
【００４７】
また、これら可撓性支持体の厚さは、用いる可撓性支持体の材質等によって異なるが、一般的には８０〜１０００μｍであり、取り扱い上の点から、更に好ましくは８０〜５００μｍである。これらの支持体の表面は滑面であってもよいし、マット面としてもよい。
【００４８】
輝尽性蛍光体層としては、バインダーと輝尽性蛍光体粒子とから構成されている。輝尽性蛍光体層を形成している「輝尽性蛍光体」とは、最初の光または高エネルギー放射線が照射された後に、光的、熱的、機械的、科学的または電気的等の刺激（輝尽励起）により、最初の光または高エネルギー放射線の照射量に対応した輝尽発光を示す輝尽性蛍光体をいう。実用的な面からは、光刺激（輝尽励起）により輝尽発光を示す輝尽性蛍光体が好ましく、波長が５００ｎｍ以上、１μｍ以下の輝尽励起光によって輝尽発光を示す輝尽性蛍光体が好ましい。
【００４９】
輝尽性蛍光体層を構成する輝尽性蛍光体の具体例としては、例えば特開昭５５−１２１４５号、同５５−１６００７８号、同５６−７４１７５号、同５６−１１６７７７号、同５７−２３６７３号、同５７−２３６７５号、同５８−２０６６７８号、同５９−２７２８９号、同５９−２７９８０号、同５９−５６４７９号、同５９−５６４８０号等に記載の希土類元素賦活アルカリ土類金属弗化ハロゲン化物系蛍光体；特開昭５９−７５２００号、同６０−８４３８１号、同６０−１０６７５２号、同６０−１６６３７９号、同６０−２２１４８３号、同６０−２２８５９２号、同６０−２２８５９３号、同６１−２３６７９号、同６１−１２０８８２号、同６１−１２０８８３号、同６１−１２０８８５号、同６１−２３５４８６号、同６１−２３５４８７号等に記載の２価のユーロピウム賦活アルカリ土類金属弗化ハロゲン化物系蛍光体；特開昭５５−１２１４４号に記載の希土類元素賦活オキシハライド蛍光体；特開昭５８−６９２８１号に記載のセリウム賦活３価金属オキシハライド蛍光体；特開昭６０−７０４８４号に記載のビスマス賦活アルカリ金属ハロゲン化物蛍光体；特開昭６０−１４１７８３号、同６０−１５７１００号に記載の２価のユーロピウム賦活アルカリ土類金属ハロ燐酸塩蛍光体；特開昭６０−１５７０９９号に記載の２価のユーロピウム賦活アルカリ土類金属ハロほう酸塩蛍光体；特開昭６０−２１７３５４号に記載の２価のユーロピウム賦活アルカリ土類金属水素化ハロゲン化物蛍光体；特開昭６１−２１１７３号、同６１−２１１８２号に記載のセリウム賦活希土類複合ハロゲン化物蛍光体；特開昭６１−４０３９０号に記載のセリウム賦活希土類ハロ燐酸塩蛍光体；特開昭６０−７８１５１号に記載の２価のユーロピウム賦活ハロゲン化セリウム・ルビジウム蛍光体；特開昭６０−７８１５１号に記載の２価のユーロピウム賦活複合ハロゲン化物蛍光体等が挙げられる。
【００５０】
【実施例】
以下、本発明の効果を実施例により具体的に説明するが、本発明はこれらに限定されるものではない。
【００５１】
実施例１
〈輝尽性蛍光体シート〉
コニカ（株）製　Ｒｅｇｉｕｓプレート−１Ｓに使用している輝尽性蛍光体シートを使用した。
【００５２】
〈封止フィルム〉
ＰＥＴ１２μｍ／アルミナ蒸着ＰＥＴ１２μｍ／ＣＰＰ３０μｍの多層構成のフィルムと、ＰＥＴ１００μｍ／Ａｌ箔９μｍ／ＣＰＰ３０μｍの多層構成のフィルムとを予め輝尽性蛍光体シートの大きさに重ね合わせ、三方を熱溶着し袋状にして使用した。
【００５３】
〈封止体の作製〉
図１に示される封止装置を用いて、押圧板の質量と緩衝部材の嵩密度、圧縮硬さを表１に示すように変化させ封止体を作製し試料１０１〜１１０とした。
【００５４】
尚、封止体の作製時、輝尽性蛍光体シートを入れた袋状の封止フィルムの開放口の封止は、４５０Ｐａの減圧下で、温度１５０℃、１．５秒で熱溶着による封止を行った。
【００５５】
〈評価〉
得られた各試料１０１〜１１０につき、封止体の表面のシワの発生の有無及び封止体を開封し輝尽性蛍光体層のキズの有無を目視で観察し、以下に示す評価ランクにより評価した結果を表１に示す。
【００５６】
封止体の表面のシワの発生
○：封止体の表面のシワが認められない
△：実用上問題にならない程度の封止体の表面のシワが認められる
×：実用上問題となる程度の封止体の表面のシワが認められる
【００５７】
【表１】
2004077370.tif 000003
【００５８】
本発明の有効性が確認された。
【００５９】
【発明の効果】
輝尽性蛍光体シートを２枚の封止フィルムで挟み、減圧条件下で２枚の封止フィルムを熱溶着し封止する時、輝尽性蛍光体層にキズを付けることなく、又、輝尽性蛍光体層側の封止フィルムにシワを発生させることなく封止ができ、作業性が良い輝尽性蛍光体シートの封止装置及びこの装置を使用した輝尽性蛍光体シートの封止方法を提供することができ、作業性が大幅に向上し、工程の稼働率が上がった。
【図面の簡単な説明】
【図１】本発明の封止装置の一例を示す概略図である。
【図２】図１に示す封止装置の蓋体が開いている状態の概略断面図である。
【図３】図２のＸで示される部分の拡大概略断面図である。
【符号の説明】
１　封止装置
２　本体
２０１　載置台
２０２　開口部
３　蓋体
４　輝尽性蛍光体シート
４ａ　輝尽性蛍光体層
４ｂ　可撓性支持体
５ａ、５ｂ　封止フィルム
６ａ、６ｂ　加熱部材
６ｃ　シリンダ
７　押圧板
８　吊り下げ部材
９　緩衝部材
【図１】
2004077370.tif 000004
【図２】
2004077370.tif 000005
【図３】
2004077370.tif 000006